(57)【要約】【課題】本発明は、汚水を排水させるための水の流出口の開閉動作を容易に行い得ることができる貯水装置、及び排水システムの提供を目的とした。【解決手段】本発明の貯水装置１０は、流出口１４と、流出口１４を閉塞可能とする閉塞部１８と、閉塞部１８と連結された操作部２０と、操作部２０を挿通可能とされた挿通部３４が形成され、開口３１を閉塞可能とする蓋体３２とを有し、閉塞部１８が、操作部２０が操作されることにより流出口１４を開閉可能であり、操作部２０が、管状の部材とされており、操作部２０の一端には給水口３６が設けられており、他端には給水口３６から取り込まれた水を吐出する吐出口３８が設けられているものであることを特徴とするものである。【選択図】図２
2020176514.tif 000002
【特許請求の範囲】
【請求項１】
汚水を排水する排水流路を形成する管路上に配置される貯水装置であって、
筒状に形成され、内部に導入された水を流出させるための流出口を備えた貯水装置本体と、
前記流出口を閉塞可能とする閉塞部と、
前記貯水装置本体の軸線方向一端側において内部に連通するように形成された開口を閉塞する蓋体とを有し、
前記閉塞部により前記流出口を閉じることにより、前記貯水装置本体の内部に水を貯留でき、
前記閉塞部を前記流出口から外れた位置に移動させることにより、前記流出口を開き、前記貯水装置本体に貯留されている水を流出させることができるものであり、
前記閉塞部と連結された操作部と、
前記操作部の変位範囲を規制するストッパー部と、を有し、
前記蓋体に設けられた挿通部に前記操作部を挿通することにより、前記操作部が前記貯水装置本体の軸線方向にスライド操作可能なように保持されることを特徴とする貯水装置。
【請求項２】
前記操作部が、
前記閉塞部に取り付けられる第一管体と、
前記第一管体と連結される第二管体とを備え、
前記第一管体及び前記第二管体が連結された状態において、前記流出口から前記貯水装置の外部に至る長さを備えるものであり、
前記第二管体を前記第一管体から取り外した状態において、前記第一管体が前記貯水装置の内部に収まることを特徴とする請求項１に記載の貯水装置。
【請求項３】
前記操作部が、
前記閉塞部に取り付けられる第一管体と、
前記第一管体と連結される第二管体と、
前記第一管体及び前記第二管体を連結する管継手とを備えるものであり、
前記ストッパー部が、前記管継手によって形成されていることを特徴とする請求項１又は２に記載の貯水装置。
【請求項４】
前記ストッパー部が、前記操作部の径方向に突出するように形成されたものであり、
前記操作部が、前記ストッパー部と前記蓋体とが当接する位置において、前記軸線方向の移動が規制されることを特徴とする請求項１〜３のいずれかに記載の貯水装置。
【請求項５】
請求項１〜４のいずれかに記載の貯水装置と、
汚水を排水する排水流路を形成する管路と、
給水源とを有し、
前記貯水装置が、前記管路上であって前記給水源よりも下流側に設けられていることを特徴とする排水システム。
【請求項６】
前記管路上に設けられる一又は複数の立管と、
少なくとも一の前記立管に仮設で取り付けられる仮設排水設備とを有し、
前記仮設排水設備が設けられる立管が、前記管路上であって前記貯水装置よりも下流側に設けられていることを特徴とする請求項５に記載の排水システム。
【請求項７】
汚水を貯留可能とする汚水貯留槽と、
前記排水流路を切り替え可能とする切替式排水マスとを有し、
前記切替式排水マスに対して操作が行われることにより、汚水を前記汚水貯留槽に向けて排出するように前記排水流路を切り替え可能であることを特徴とする請求項５又は６に記載の排水システム。
【請求項８】
前記給水源が、水を貯留可能とされた貯水槽であり、
前記貯水槽から水を汲み上げるポンプを有し、
前記ポンプを介して供給される貯留水が、前記給水口から前記貯水装置の内部に供給されることを特徴とする請求項５〜７のいずれかに記載の排水システム。
【発明の詳細な説明】
【技術分野】
【０００１】
本発明は、汚水を排水する排水システムに関する。
【背景技術】
【０００２】
従来、排水設備から下水本管に汚水を排出する汚水排出システムが知られている。排水設備としては、例えば、トイレ、風呂、または台所の流し台などが挙げられる。この種の汚水排出システムは、排水設備と下水本管とをつなぐ管路を備えている。排水設備から流出する汚水は、管路を通じて下水本管へ排出される。
【０００３】
ところで、大規模な地震または津波などの災害が発生した際、排水設備への水の供給が不能となり断水などが発生するおそれがある。また、災害時など、トイレ等の排水設備の不足を解消するために、既設のトイレなどに加え、簡易トイレなど仮設の排水設備を設ける場合がある。
【０００４】
このような仮設の排水設備は、既設の管路に設けられた立管を利用して設けることができる。仮設の排水設備から排出される汚水は、所定量まで管路内に貯留して、所定量に到達した後に下流側の弁を開放して汚水を排出することができる。
【０００５】
ここで、弁を開放して汚水を排出する場合に、専門知識を有する者以外の者が、作業を行う必要に迫られる場合が想定される。そのため、弁を開放する操作は、専門知識を有しないものが容易に行い得ることが望ましい。このような非常時の弁の開放動作に関する技術として、下記特許文献１には、仮設トイレ用の排水設備が開示されている。特許文献１の排水設備では、マンホール内に設けられた貯水ゲートの開放動作を、マンホールの蓋材を取り外すことなく行い得るとされている。
【先行技術文献】
【特許文献】
【０００６】
【特許文献１】特開２０１７−１２７６４５号公報
【発明の概要】
【発明が解決しようとする課題】
【０００７】
しかしながら、特許文献１の排水設備は、汚水が所定量に到達するまで貯留された後に、仮設トイレよりも下流側に配置された弁の開放操作を行い得るに過ぎない。言い換えれば、特許文献１の排水設備は、下水道の給排水が可能であるか否かを問わず、汚水を下水本管に向けて流下させるに過ぎない。
【０００８】
また、災害時などに専門知識を有しない者が流出口の開閉動作を容易に行うことを目的として、電気的なスイッチを設けるなどの構成も考えられる。しかしながら、災害時には水道のほか、電気の供給が停止するなど、あらゆるライフラインが停止することが想定される。そのため、災害時に使用されることが想定される設備については、電源を必要とせずに手動で操作を行い得ることが望ましい。
【０００９】
そこで本発明は、汚水を排水させるための水の流出口の開閉動作を容易に行い得ることができる貯水装置、及び排水システムの提供を目的とした。
【課題を解決するための手段】
【００１０】
上述の課題を解決すべく提供される本発明の貯水装置は、汚水を排水する排水流路を形成する管路上に配置されるものであって、筒状に形成され、内部に導入された水を流出させるための流出口を備えた貯水装置本体と、前記流出口を閉塞可能とする閉塞部と、前記貯水装置本体の軸線方向一端側において内部に連通するように形成された開口を閉塞する蓋体とを有し、前記閉塞部により前記流出口を閉じることにより、前記貯水装置本体の内部に水を貯留でき、前記閉塞部を前記流出口から外れた位置に移動させることにより、前記流出口を開き、前記貯水装置本体に貯留されている水を流出させることができるものであり、管状であって、前記閉塞部と連結された操作部を有し、前記蓋体に設けられた挿通部に前記操作部を挿通することにより、前記操作部が前記貯水装置本体の軸線方向にスライド操作可能なように保持されると共に、前記閉塞部により前記流出口を閉じた状態において、前記給水口側の端部が前記貯水装置本体の外側に突出しつつ、前記吐出口側の端部が前記貯水装置本体の内側において開口するように保持されることを特徴とするものである。
【００１１】
本発明の貯水装置によれば、蓋体により貯水装置を閉塞させた状態で流出口の開閉動作を行い得る。そのため、本発明の貯水装置は、蓋体を取り外して流出口の開閉動作を行う必要がなく、専門の知識を有しないものであっても容易に流出口の開閉動作を行うことができる。また、本発明の貯水装置は、操作部が管状の部材とされているため、蓋体により貯水装置を閉塞させた状態のまま操作部を通じて貯水装置の外部から内部に水を供給することができる。そのため、本発明の貯水装置は、流出口の開閉動作及び水の供給動作について、蓋体を閉じた状態のまま容易に行うことができる。さらに、本発明の貯水装置は、流出口の開閉動作を手動で行い得る。そのため、本発明の貯水装置は、電気の供給が停止した場合であっても流出口の開閉動作を行うことができる。なお、本発明において、貯水装置本体の軸線方向一端側において内部に連通するように形成される開口は、貯水装置本体そのものに設けられた開口であっても、貯水装置本体に対して接続された他の筒（例えば後述の点検筒３０のようなもの）に形成された開口であっても良い。
【００１２】
本発明の貯水装置は、前記操作部が、前記閉塞部に取り付けられる第一管体と、前記第一管体と連結される第二管体とを備え、前記第一管体及び前記第二管体が連結された状態において、前記流出口から前記貯水装置の外部に至る長さを備えるものであり、前記第二管体を前記第一管体から取り外した状態において、前記第一管体が前記貯水装置の内部に収まるものであることが望ましい。
【００１３】
上述の構成によれば、通常時には操作部の第二管体を第一管体から取り外し、操作部が貯水装置の外側に突出しないように貯水装置の内部に収めつつ、災害時など流出口の開閉操作が必要となった際に、第一管材及び第二管材を連結して使用することができる。その結果、本発明の貯水装置は、災害時等に操作部を機能させつつ、通常時には操作部が貯水装置から突出して人の往来などの邪魔になることを回避することができる。
【００１４】
また、本発明の貯水装置は、前記操作部の変位範囲を規制するストッパー部を有するものであることが望ましい。
【００１５】
上述の構成によれば、操作部を適切な範囲で操作して、閉塞部の変位範囲を規制することができる。すなわち、本発明の貯水装置によれば、操作部が過度に変位されて、操作部が貯水装置の外側に外れる、あるいは閉塞部が流出口から脱落する等の不具合を抑制することができる。
【００１６】
さらに、本発明の貯水装置は、前記操作部が、前記閉塞部に取り付けられる第一管体と、前記第一管体と連結される第二管体と、前記第一管体及び前記第二管体を連結する管継手とを備えるものであり、前記ストッパー部が、前記管継手に形成されているものであってもよい。
【００１７】
上述の構成によれば、管継手をストッパー部として機能させることができる。これにより本発明の貯水装置は、ストッパー部として機能させるための部品を追加で設ける必要がなく、部品点数が増加することを抑制することができる。
【００１８】
本発明の貯水装置は、前記ストッパー部が、前記操作部の径方向に突出するように形成されたものであり、前記操作部が、前記ストッパー部と前記蓋体とが当接する位置において、前記軸線方向の移動が規制されるものとすることができる。
【００１９】
上述の構成によれば、蓋体をストッパー部と当接させるための構成として活用することができる。その結果、本発明の貯水装置は、ストッパー部を当接させるための部品を追加で設ける必要がなく、部品点数が増加することを抑制することができる。
【００２０】
本発明の貯水装置は、前記操作部が、前記第一管体及び前記第二管体を連結する管継手を備えるものとすることができる。
【００２１】
上述の構成によれば、第一管体及び第二管体を分離及び連結可能としつつ、操作部全体を貫通する流路を分断することなく第一管体及び第二管体を連結することができる。
【００２２】
また、本発明の貯水装置は、前記操作部が、前記閉塞部に取り付けられる第一管体と、前記第一管体と連結される第二管体と、前記第一管体及び前記第二管体を連結する管継手とを備え、前記第一管体が、前管継手に対して周方向に相対的に回転させることにより前記管継手に対して螺合して連結されるものであってもよい。
【００２３】
上述の構成によれば、第一管体及び第二管体を分離及び連結可能としつつ、第一管体を蓋体の挿通部から挿入させた上で回動させる操作により、分解された操作部を連結することができる。その結果、本発明の貯水装置は、操作部の連結作業を容易に行うことができる。
【００２４】
本発明の排水システムは、上述の貯水装置と、汚水を排水する排水流路を形成する管路と、給水源とを有し、前記貯水装置が、前記管路上であって前記給水源よりも下流側に設けられていることを特徴とするものである。
【００２５】
本発明の排水システムによれば、給水源から水を供給して、管路内の汚水を押し流して排水することができる。また、本発明の排水システムによれば、蓋体により貯水装置を閉塞させた状態で、貯水装置の流出口の開閉動作を行い得る。そのため、本発明の排水システムは、蓋体を取り外して貯水装置の流出口の開閉動作を行う必要がなく、専門の知識を有しないものであっても容易に流出口の開閉動作を行うことができる。また、本発明の排水システムは、貯水装置の操作部が管状の部材とされているため、蓋体により貯水装置を閉塞させた状態のまま、操作部を通じて貯水装置の外部から内部に水を供給することができる。そのため、本発明の排水システムは、流出口の開閉動作及び水の供給動作について、蓋体を閉じた状態のまま容易に行うことができる。さらに、本発明の排水システムの貯水装置は、流出口の開閉動作を手動で行い得る。そのため、本発明の排水システムは、電気の供給が停止した場合であっても貯水装置の流出口の開閉動作を行うことができる。
【００２６】
また、本発明の排水システムは、前記管路上に設けられる一又は複数の立管と、少なくとも一の前記立管に仮設で取り付けられる仮設排水設備とを有し、前記仮設排水設備が設けられる立管が、前記管路上であって前記貯水装置よりも下流側に設けられているものとすることができる。
【００２７】
上述の構成によれば、災害時等に、既設の立管を活用して仮設トイレなどの仮設排水設備を設置することができる。また、上述の構成によれば、仮設排水設備から排出される汚水を給水源から供給される水により押し流して排水することができる。
【００２８】
本発明の排水システムは、汚水を貯留可能とする汚水貯留槽と、前記排水流路を切り替え可能とする切替式排水マスとを有し、前記切替式排水マスに対して操作が行われることにより、汚水を前記汚水貯留槽に向けて排出するように前記排水流路を切り替え可能としてもよい。
【００２９】
上述の構成によれば、下水本管や切替マスよりも下流側の管路が破損した場合に、汚水の排出先を汚水貯留槽に切り替えて汚水を排水することができる。すなわち、本発明の排水システムによれば、下水道の給水が停止して給水不能となり、さらに下水道本管に向けた排水が機能しない場合（給排水不能時）などに、給排水の機能を代替して汚水を排水することができる。
【００３０】
本発明の排水システムは、前記給水源が、水を貯留可能とされた貯水槽であり、前記貯水槽から水を汲み上げるポンプを有し、前記ポンプを介して供給される貯留水が、前記給水口から前記貯水装置の内部に供給されるものとすることができる。
【００３１】
上述の構成によれば、貯水槽に貯留された貯留水を活用して、汚水を効率的に排水することができる。
【発明の効果】
【００３２】
本発明によれば、汚水を排水させるための水の流出口の開閉動作を容易に行い得ることができる貯水装置、及び排水システムを提供することができる。
【図面の簡単な説明】
【００３３】
【図１】本発明の排水システムを示す模式図である。
【図２】本発明の貯水装置を示す断面図である。
【図３】図２の貯水装置のマス本体、閉塞部、操作部を示している。（ａ）は平面図、（ｂ）は左側面図、（ｃ）は図３（ｂ）のＡ−Ａ’線断面図、（ｄ）は右側面図である。
【図４】図２の貯水装置の分解斜視図である。
【図５】図２の貯水装置の操作部の状態、及び操作部が操作された場合における断面図である。（ａ）は分離状態、（ｂ）は連結状態、（ｃ）は操作部が上方に引き上げられた状態を示している。
【図６】図１の排水システムの切替式排水マスを示す断面図である。
【図７】図６の切替式排水マスのマス本体及び切替部材を示す斜視図である。
【図８】図６の切替式排水マスのマス本体及び切替部材を示す図７のＢ−Ｂ’線断面図である。（ａ）は第一流路を形成した状態、（ｂ）は第二流路を形成した状態である。
【図９】図１の排水システムの通常時を示す模式図である。
【図１０】図１の排水システムの稼働時を示す模式図である。
【図１１】図１０の排水システムの貯水装置の動作を示す断面図である。（ａ）は流出口を閉塞して貯留水を供給させた状態、（ｂ）は流出口を開放した状態を示している。
【発明を実施するための形態】
【００３４】
以下、図面を参照しつつ、本発明の実施形態について具体的に説明する。
【００３５】
図２は、本発明の実施形態に係る貯水装置１０を示す断面図である。図１は、本発明の排水システムＳを示す模式図である。図１に示すとおり、排水システムＳは、貯水装置１０を備えている。
【００３６】
＜排水システムについて＞
排水システムＳは、排水設備３から排出される汚水を、下水本管４等の下流側に向けて排出させるものである。
【００３７】
より具体的には、排水システムＳは、排水設備３への水の供給が機能している場合（給水機能時）であって、かつ下水本管４への排水が機能している場合（排水機能時）には、排水設備３から排出される汚水を、下水本管４等の下流側に向けて排出させる。
【００３８】
また、排水システムＳは、地震などの災害により水の供給が停止して（断水）排水設備３への給水が機能しなくなっている場合や、給水設備が十分ではない屋外等の場所で仮設トイレなどを設置するため給水機能が不足している場合（給水不能時）には、後述する管路４０に貯留水を供給して汚水を下流側へ排出する。
【００３９】
さらに、排水システムＳは、下水本管４や管路４０の一部に破損が発生して下水本管４への汚水の排水が困難な場合（排水不能時）には、汚水を汚水貯留槽８４に排出することができる。
【００４０】
すなわち、排水システムＳは、給水不能、かつ排水不能の場合（給排水不能時）には、管路４０に汚水を排出させるために貯留水を供給しつつ、排水設備３から排出される汚水を汚水貯留槽８４に向けて排出させる。
【００４１】
なお、以下の説明において、排水設備３への給水が機能している場合であって、かつ下水本管４への排水が機能している場合を、「給排水機能時」又は「通常時」と記載して説明する場合がある。また、給水不能時であって、貯水タンク８０等の給水源から水を供給する必要がある場合を、「稼働時」と記載して説明する場合がある。
【００４２】
下水本管４は、汚水を汚水処理場（図示せず）に導く管である。建物１の排水設備３から流出する汚水は、通常時においては下水本管４に排出される。
【００４３】
なお、図１では、仮設排水設備３ｂや後述する給水ポンプ８２など、稼働時に設けられる排水システムＳの構成を仮想線で示している。
【００４４】
「排水設備」とは、汚水を排出する設備のことである。「排水設備」は、例えば、トイレ、風呂または台所の流し台などが挙げられる。また、「排水設備」のうち、建物１に既設で設けられたトイレ、風呂などの排水設備を「既設排水設備３ａ」と記載して説明する場合がある。また、「排水設備」のうち、建物１の外側に設けられた仮設トイレなどの排水設備を「仮設排水設備３ｂ」と記載して説明する場合がある。
【００４５】
「建物」とは、少なくとも壁を有する建築物のことを指し、住宅、商業施設、工場、校舎および倉庫などが含まれる。また、「屋内」には、屋根および壁に囲まれた床上の空間はもちろんのこと、床下の空間も含まれる。平面視において、壁に囲まれた部分は「建物内」である。
【００４６】
「汚水」とは、例えばトイレ、風呂および台所の流し台などから排出される水であり、そのままでは河川に放流させることができないものである。
【００４７】
図１では、一つの建物１内に設けられた一つの既設排水設備３ａを図示しているが、建物１および既設排水設備３ａの数は特に限定されない。建物１の数は、一つであってもよいし、複数であってもよい。また、屋内２には、一つの既設排水設備３ａのみが設けられていてもよく、複数の既設排水設備３ａが設けられていてもよい。
【００４８】
さらに、図１では、二つの仮設排水設備３ｂを仮想線で示しているが、排水システムＳに設けられる仮設排水設備３ｂの数は特に限定されない。また、本発明の排水システムＳは、仮設排水設備３ｂを設ける場合のほか、水の供給が停止した場合に既設排水設備３ａからの汚水を排出するために用いられるものであってもよい。このような場合には、仮設排水設備３ｂが設けられないものであってもよい。
【００４９】
なお、以下の説明における汚水の流路において、下水本管４又は汚水貯留槽８４側を単に「下流側」と記載し、下流側とは反対側であって後述する貯水タンク８０が設けられる側を単に「上流側」と記載して説明する場合がある。
【００５０】
また、本明細書における「排水マス」には、汚水マス、雨水マス、公共マスなどの各種の排水マスが含まれる。本明細書における「排水マス」には、マス本体のほか、点検筒や立管、蓋体を含むものとして説明する。
【００５１】
図１に示すとおり、排水システムＳは、貯水装置１０、管路４０、貯水タンク８０（給水源、貯水槽）、切替式排水マス５０、逆流抑止マス７０及び汚水貯留槽８４を有している。また、排水システムＳは、稼働時にはこれらの構成に加え、給水ポンプ８２（ポンプ）、及び仮設排水設備３ｂが設けられる。以下、各構成について図面を参照しつつ説明する。
【００５２】
管路４０は、複数の管材や継手などが連結されて、汚水の流路となる排水流路Ｃを形成している。なお、「管路」とは、水を流通させる通路を意味する。「管路」は、一本の配管により構成されていてもよく、本実施形態のように、複数本の配管とそれらを接続する継手とにより構成されていてもよい。また、「排水流路」とは、水（汚水等）が排出される際に辿る経路を意味する。
【００５３】
図１に示すとおり、管路４０は、第一管路４２、及び第二管路４４を備えている。また、管路４０には、複数の立管４８が設けられている。管路４０には、貯水装置１０、切替式排水マス５０、及び逆流抑止マス７０が配置されている。
【００５４】
第一管路４２は、貯水装置１０から下水本管４に至るように設けられている。また、第二管路４４は、切替式排水マス５０から汚水貯留槽８４に至るように設けられている。管路４０は、第一管路４２及び第二管路４４により、汚水の排水流路Ｃとして、二つの系統を形成可能としている。具体的には、管路４０は、第一管路４２を介して汚水を下水本管４に排水させる第一流路ｃ１と、第二管路４４を介して汚水を汚水貯留槽８４に排出させる第二流路ｃ２とを形成可能としている。
【００５５】
言い換えれば、管路４０は、汚水を第一流路ｃ１により下水本管４に排出させる通常時用の排水流路Ｃとして、第一流路ｃ１を形成している。また、管路４０は、下水本管４や、第二管路４４との分岐部分よりも下流側の第一管路４２等の破損など、汚水が上流側へ逆流するおそれがある排出不能時用の排水流路Ｃとして、汚水貯留槽８４に汚水を排出させる第二流路ｃ２を形成している。
【００５６】
立管４８は、管路４０上に設けられている。より具体的には、立管４８は、管路４０に設けられた排水マス４７に設けられている。なお、立管４８は、排水マスに設けられるもののほか、管路４０と継手を介して連結されるものであってもよい。また、立管４８が設けられる排水マスは、汚水マス、雨水マス等、種々選択可能である。
【００５７】
立管４８は、地面から下方に向かって延びた管である。立管４８の上端は、地面に向かって開口している。図１に示すように、立管４８の上端には、仮設排水設備３ｂを取り付けることができる。災害時以外の通常時など、仮設排水設備３ｂが設けられていない状態では、立管４８の上端の開口は、蓋４９が被せられて閉塞される。また、災害時など仮設排水設備３ｂが設置される状況では、蓋４９が立管４８の開口から取り外され、仮設排水設備３ｂが取り付けられる。立管４８の下端は、第一管路４２に連結されている。
【００５８】
なお、図１では、既設排水設備３ａよりも下流側に設けられた立管４８に仮設排水設備３ｂを設けた例を示したが、仮設排水設備３ｂは、既設排水設備３ａよりも上流側の立管４８に設けてもよい。例えば、既設排水設備３ａよりも上流側であって、貯水装置１０よりも下流側に立管４８が設けられている場合には、当該立管４８に仮設排水設備３ｂが設けられてもよい。
【００５９】
貯水装置１０は、貯水タンク８０から供給された貯留水を管路４０に供給するための水門として設けられている。本実施形態の貯水装置１０は、塩化ビニル（塩ビ）、繊維強化プラスチックなどの樹脂素材を加工成形したものとされている。
【００６０】
図２及び図４に示すとおり、貯水装置１０は、マス本体１２、閉塞部１８、操作部２０、点検筒３０、及び蓋体３２を有している。
【００６１】
貯水装置１０は、マス本体１２に対して筒状部材とされた点検筒３０が取り付けられて、長手方向のうち一方の端部が閉塞され、他方の端部に開口３１が形成された略筒状の中空の形状をなしている。また、開口３１には、蓋体３２が着脱可能に嵌め込まれている。
【００６２】
貯水装置１０は、開口３１を上方に、開口３１とは反対側の端部を下方に向けて長手方向が鉛直に沿うように地中に埋設される。なお、以下の説明において、貯水装置１０の長手方向を単に「軸線方向Ｘ」と記載する場合がある。また、貯水装置１０の軸線方向Ｘの両側のうち、開口３１側を単に「上方」と、他方を単に「下方」と記載して説明する場合がある。
【００６３】
図３及び図４に示すとおり、マス本体１２は、上方に開口が形成され、下方が閉塞された略筒状の部材である。図４に示すとおり、マス本体１２の側部には、流出口１４が設けられている。流出口１４には、第一管路４２が接続される。貯水装置１０は、内部に供給された水を流出口１４から第一管路４２に向けて流出させることができる。本実施形態では、流出口１４は受口とされているが、流出口１４は差口であってもよい。また、流出口１４には、第一管路４２が直接接続されていてもよく、他の部材を介して間接的に接続されていてもよい。
【００６４】
図３（ａ）に示すとおり、マス本体１２には、ガイド部１６ａが設けられている。ガイド部１６ａは、閉塞部１８の変位を軸線方向Ｘに沿ってガイドするために設けられている。図４に示すとおり、ガイド部１６ａは、軸線方向Ｘに延びる溝状の凹凸とされている。本実施形態では、ガイド部１６ａは、マス本体１２とは別体とされたガイド部形成体１６に形成されている。本実施形態では、ガイド部形成体１６をマス本体１２に取り付けることにより、マス本体１２にガイド部１６ａが形成されている。なお、ガイド部１６ａは、マス本体１２に直接形成されたものであってもよい。
【００６５】
図４に示すとおり、ガイド部形成体１６は、取付部１６ｂと嵌込部１６ｃとを備えている。取付部１６ｂは、マス本体１２の内壁面に沿うような湾曲した形状とされ、略中央に孔部１６ｄが形成されている。また、嵌込部１６ｃは、取付部１６ｂに形成された孔部１６ｄを取り囲むように形成されている。ガイド部形成体１６は、取付部１６ｂがマス本体１２の内壁面に取り付けられ、嵌込部１６ｃが流出口１４の内側に嵌め込まれた状態でマス本体１２に取り付けられる。
【００６６】
蓋体３２は、開口３１に取り付けられて開口３１を閉塞するための蓋部材である。蓋体３２は、地上から取り外し及び取り付けが可能である。図４に示すとおり、蓋体３２には、挿通部３４が設けられている。挿通部３４は、操作部２０を貯水装置１０の内側から外側に挿通させるために設けられている。本実施形態では、挿通部３４は、蓋体３２の略中央を貫通する貫通孔とされている。図４に示すとおり、挿通部３４は、直径Ｄ１の大きさを備える略円形の形状とされている。なお、挿通部３４は、操作部２０を取り出し可能であればいかなる形状であってもよい。例えば、挿通部３４は、本実施形態のように蓋体３２に形成された貫通孔とする場合のほか、蓋体３２の一部を切り欠いたような形状としてもよい。
【００６７】
閉塞部１８は、流出口１４を閉塞するために設けられている。図４に示すとおり、閉塞部１８は、摺動部１８ａと、接続部１８ｂとを有している。摺動部１８ａは、ガイド部形成体１６の取付部１６ｂに対して摺動可能とされている。接続部１８ｂは、摺動部１８ａから貯水装置１０の径方向内側に突出する形状とされている。接続部１８ｂには、取付穴１８ｄが設けられている。接続部１８ｂの取付穴１８ｄには、後述する操作部２０の第一管体２２に設けられた突出部２２ａが嵌め込まれ、第一管体２２が取り付けられる。
【００６８】
摺動部１８ａには、軸線方向Ｘに沿って直線状に延びる突起状の凸部１８ｃが設けられている。閉塞部１８は、凸部１８ｃとガイド部１６ａとが噛み合うようにガイド部形成体１６に取り付けられる。また、閉塞部１８は、凸部１８ｃとガイド部１６ａとの嵌合構造により、軸線方向Ｘにガイドされつつマス本体１２に対して摺動して変位可能とされている。
【００６９】
操作部２０は、閉塞部１８を軸線方向Ｘに変位させる操作を行うために設けられている。図４に示すとおり、操作部２０は、第一管体２２、第二管体２４、及び管継手２６を備えている。
【００７０】
第一管体２２及び第二管体２４は、管状の部材である。第一管体２２には、径方向の外側に突出するように突出部２２ａが設けられている。第一管体２２は、突出部２２ａが閉塞部１８の取付穴１８ｄに嵌め込まれることにより、閉塞部１８に取り付けられる。
【００７１】
図４に示すとおり、第二管体２４は、直径Ｄ２の外径とされている。なお、第二管体２４の直径Ｄ２の大きさは、蓋体３２の挿通部３４の直径Ｄ１よりも小さい（Ｄ２＜Ｄ１）。
【００７２】
管継手２６は、第一管体２２と第二管体２４とを分離可能に連結するために設けられている。本実施形態の管継手２６は、径方向の大きさが異なる二つの管体を連結可能とする、いわゆる変換継手とされている。図４に示すとおり、管継手２６は、第二管体２４の外径Ｄ２よりも大きい外径Ｄ３とされた拡径部２８を有している。拡径部２８の外径Ｄ３は、蓋体３２に形成された挿通部３４の直径Ｄ１よりも大きい（Ｄ３＞Ｄ１）。そのため、第一管体２２及び第二管体２４が管継手２６により連結された状態（連結状態）において、操作部２０を軸線方向Ｘに沿って上方に引き上げると、操作部２０は拡径部２８と蓋体３２とが当接する位置において上方への移動が規制される。このように、拡径部２８は、操作部２０の軸線方向Ｘの変位範囲を規制するストッパー部２９として機能する。
【００７３】
図２に示すとおり、操作部２０は、第一管体２２及び第二管体２４が管継手２６により連結され、全体として一端から他端に挿通する一つの管状の形状をなしている。言い方を換えれば、操作部２０は、貯水装置１０の外側に取り出される側の端部を給水口３６として、貯水装置１０の内側に配置される側の端部を吐出口３８として、給水パイプとして機能する。これにより、操作部２０は、貯留水を給水口３６から取り込んで吐出口３８から吐出させて貯水装置１０の内部に供給することができる。また、操作部２０の給水口３６は、給水ポンプ８２を接続させる差口、あるいは受口として機能する。
【００７４】
図５（ａ）に示すとおり、第二管体２４が第一管体２２から取り外された状態（分離状態）では、管継手２６及び閉塞部１８に接続されている第一管体２２は、開口３１よりも下方に配置される。言い方を換えれば、分離状態では、操作部２０は、貯水装置１０の内部に収まる状態となる。また、第一管体２２から取り外された第二管体２４は、例えば貯水装置１０の内部に収容しておくことができる（図５（ａ）の仮想線参照）。そのため、貯水装置１０は、操作部２０を操作する必要がない通常時などには、操作部２０を貯水装置１０の内部に収まる態様とすることができ、人が往来する際など操作部２０が邪魔になることを回避することができる。
【００７５】
図５（ｂ）に示すとおり、第二管体２４が第一管体２２に取り付けられた状態（連結状態）では、操作部２０の両端のうち、上方の端部が蓋体３２の挿通部３４を介して貯水装置１０の外側に取り出される。また、この状態において、操作部２０を上方に引き上げる操作が行われていない状態では、閉塞部１８は流出口１４を閉塞する位置に配置される。さらに、上述のとおり、操作部２０は、軸線方向Ｘに挿通する管体とされている。そのため、操作部２０は、上方の端部を給水口３６として水を取り込み、下方の端部を吐出口３８として、水を貯水装置１０の内部に取り込むことができる。言い換えれば、貯水装置１０は、水を供給する際に、蓋体３２を取り外す必要がない。
【００７６】
図５（ｃ）に示すとおり、連結状態とされた操作部２０を上方に引き上げる操作を行うと、第一管体２２と接続されている閉塞部１８が上方に引き上げられ、閉塞部１８が流出口１４を閉塞しない位置まで変位する。これにより、流出口１４が開放されて貯水装置１０の内部に供給された水が流出口１４から第一管路４２に流出する。
【００７７】
また、操作部２０を上方に引き上げる操作に連動して閉塞部１８が上方に変位する際、閉塞部１８は、ガイド部１６ａにより軸線方向Ｘにガイドされつつ変位する。さらに、操作部２０を上方に引き上げる操作を行うと、操作部２０は、拡径部２８（ストッパー部２９）が蓋体３２と接触する位置において上方への移動が規制される。そのため、閉塞部１８の凸部１８ｃ（図４参照）がガイド部１６ａ（図４参照）から脱落することを抑制することができる。
【００７８】
図５（ｃ）に示すとおり、操作部２０は、距離Ｌ１分変位可能とされている。本実施形態では、操作部２０が変位可能とされた距離Ｌ１と、流出口１４の径方向の大きさＤ４とは、概ね一致する。なお、操作部２０の変位可能な距離Ｌ１は、閉塞部１８とマス本体１２との係合構造（例えば凸部１８ｃとガイド部１６ａとの係合構造）により、適宜調整可能である。
【００７９】
このように、貯水装置１０は、操作部２０を操作することにより、閉塞部１８により閉塞された流出口１４を開放可能とされている。これにより貯水装置１０は、貯水タンク８０から供給された水を流出させ、あるいは遮断することができる。
【００８０】
切替式排水マス５０は、排水流路Ｃを、第一流路ｃ１と第二流路ｃ２とに切り替え可能とするために設けられている。切替式排水マス５０は、建物１の外の地中に埋設されている。
【００８１】
図６に示すとおり、切替式排水マス５０は、マス本体５２、切替部材６０、点検筒５８、及び蓋体５９を有している。切替式排水マス５０は、マス本体５２に対する切替部材６０の相対位置が変位されることにより、排水流路Ｃを第一流路ｃ１から第二流路ｃ２へ、あるいは第二流路ｃ２から第一流路ｃ１へと切り替え可能とされている。
【００８２】
本実施形態の切替式排水マス５０は、塩ビ、強化繊維プラスチックなどの樹脂素材を加工成形したものとされている。なお、切替式排水マス５０は、マス本体５２や点検筒５８をコンクリートなどの素材により形成されたものであってもよい。
【００８３】
図６及び図７に示すとおり、マス本体５２は、上部及び下部に開口が形成され、複数の略筒状の部分が一体的に形成された部材である。また、マス本体５２の側部には、二つの開口が形成されている。さらに、図７に示すとおり、マス本体５２の内側には、段差部５７が形成されている。
【００８４】
マス本体５２の上部に形成された開口は、点検口５３とされている。また、マス本体５２の側部に形成された二つの開口のうち、一方は汚水を流入させる流入口５４とされ、他方が汚水を流出させる第一流出口５５とされている。さらに、マス本体５２の下部に形成された開口は、汚水を流出させる第二流出口５６とされている。すなわち、マス本体５２には、一つの流入口５４と、第一流出口５５及び第二流出口５６の二つの流出口が設けられている。
【００８５】
図６に示すように、点検口５３は、地面に向かって開口している。点検口５３には、点検筒５８が接続されている。点検筒５８の上端は、地面と略同じ高さとなるように配置されている。作業者は、地上から点検筒５８を通じて、マス本体５２の内部に破損または詰まりなどがないかを点検することができる。なお、点検筒５８の上端には、蓋体５９が配置されている。蓋体５９は、地上から取り外しが可能である。点検筒５８は、蓋体５９によって閉じられている。蓋体５９によって、切替式排水マス５０内の汚水から発生する悪臭が点検口５３を通じて外部に漏れることを防止することができる。
【００８６】
流入口５４は、排水設備３から流出した汚水が流入する部位である。また、第一流出口５５は、マス本体５２内に流入した汚水が流出する部位である。第一流出口５５は、マス本体５２の側部であって、流入口５４と対向する位置に設けられている。
【００８７】
第二流出口５６は、第一流出口５５と同様に、マス本体５２内に流入した汚水が流出する部位である。第二流出口５６は、マス本体５２の下部に設けられており、下向きに開口している。第二流出口５６は、流入口５４と第一流出口５５との間に配置されている。図１に示すように、排水システムＳでは、汚水貯留槽８４が切替式排水マス５０の下方に配置されており、第二流出口５６は、第二管路４４を介して汚水貯留槽８４に接続されている。なお、第二流出口５６は、配管などを介さず汚水貯留槽８４に直接的に接続されていてもよい。
【００８８】
切替部材６０は、汚水の排水流路Ｃを第一流路ｃ１及び第二流路ｃ２に相互に切り替えるための部材である。具体的には、切替部材６０は、排水設備３から流出した汚水を、第一流路ｃ１により下水本管４に排水させ、又は第二流路ｃ２により汚水貯留槽８４に排水させるように汚水の排水流路Ｃを切り替えるために設けられている。
【００８９】
切替部材６０は、マス本体５２の内部に収容されている。また、切替部材６０は、マス本体５２の下方に形成された第二流出口形成部５２ａに対して着脱可能とされている。切替部材６０が第二流出口形成部５２ａに嵌め込まれると、第二流出口５６は閉鎖される。切替部材６０が第二流出口形成部５２ａから取り外されると、第二流出口５６は開放される。
【００９０】
図７に示すように、切替部材６０は、本体部６２と、持ち手６３と、嵌合部６４と、越流抑止板６５とを備えている。
【００９１】
図７に示すとおり、本体部６２は、断面視において略Ｕ字状に形成されている。本体部６２の両側には、径方向外側に突出するように鍔状部６２ｂが形成されている。また、本体部６２は、流入口５４から第一流出口５５へと繋がる流路を形成する底面６２ａを備えている。
【００９２】
図７に示すとおり、持ち手６３は、一端側の鍔状部６２ｂから他端側の鍔状部６２ｂに至り、本体部６２を横断するように設けられている。嵌合部６４は、本体部６２の下方に設けられている。嵌合部６４は、第二流出口５６を閉塞すべく、第二流出口５６に嵌合可能な略円筒状の部分である。本実施形態では、嵌合部６４の外周部には、ゴム製のシール部材６４ａが設けられている。このシール部材６４ａによって、第二流出口５６と切替部材６０の嵌合部６４との間のシールが図られている。越流抑止板６５は、第二流路ｃ２を形成させる際に、第一流出口５５側へ汚水が越流することを抑制するために設けられている。
【００９３】
切替式排水マス５０は、第二流出口形成部５２ａに切替部材６０の嵌合部６４が嵌め込まれた状態では、第二流出口５６を閉鎖して、流入口５４から流入した汚水を第一流出口５５から流出させる。具体的には、図８（ａ）に示すとおり、流入口５４及び第一流出口５５が連通するように第一流路ｃ１を形成させる場合には、切替部材６０は、鍔状部６２ｂがマス本体５２の段差部５７（図８では図示を省略）に支持されるような姿勢に維持される。これにより、切替部材６０は、底面６２ａと流入口５４及び第一流出口５５を接続するように配置され、断面視において略Ｕ字状の排水路を形成する。
【００９４】
切替式排水マス５０は、第二流出口５６に切替部材６０の嵌合部６４が嵌め込まれた状態から、マス本体５２に対する切替部材６０の位置を変位させることで、汚水の排出口を第一流出口５５から第二流出口５６に切り替えることができる。
【００９５】
具体的には、図８（ａ）に示す状態から、切替部材６０の持ち手６３を把手して上方に持ち上げ、切替部材６０を周方向に約９０度回転するように変位させると、切替部材６０は、マス本体５２の段差部５７（図８では図示を省略）の上方に本体部６２が支持された状態となる（図８（ｂ）参照）。図８（ｂ）に示すとおり、本体部６２がマス本体５２の段差部５７に支持された状態では、底面６２ａが上方に変位して、閉鎖されていた第二流出口５６が開放される。
【００９６】
第二流出口５６が開放された状態では、流入口５４からマス本体５２内に流入した汚水は、第一流出口５５に到達する前に第二流出口５６に向けて落下し、第二流出口５６から流出する。これにより、切替式排水マス５０は、第一流出口５５から汚水を流出させる状態から、第二流出口５６から汚水を流出させる状態へと切り替えることができる。また、切替式排水マス５０は、上述とは逆の動作、すなわち嵌合部６４が第二流出口形成部５２ａから外された状態から、嵌合部６４が第二流出口形成部５２ａに嵌め込まれた状態とすることで、第二流出口５６から汚水を流出させる状態から第一流出口５５から汚水を流出させる状態へと切り替えることができる。
【００９７】
逆流抑止マス７０は、切替式排水マス５０よりも排水流路Ｃの下流側に設けられている排水マスである。逆流抑止マス７０は、切替式排水マス５０よりも下流側に設けられる排水マスであれば、汚水マス、雨水マスなどいかなる種類の排水マスであってもよい。また、本実施形態の逆流抑止マス７０は、塩ビ、強化繊維プラスチックなどの樹脂素材を加工成形したものとされている。なお、逆流抑止マス７０は、マス本体や点検筒をコンクリートなどにより形成したものであってもよい。
【００９８】
図１に示すとおり、逆流抑止マス７０には、逆流抑制弁７２が設けられている。
【００９９】
逆流抑制弁７２は、下流側から上流側に向かって汚水が逆流することを防止するためのものである。本実施形態では、逆流抑制弁７２は、逆流抑止マス７０に設けられている。なお、逆流抑止マス７０は、下流側から上流側に向かって汚水の逆流を抑制することができるものであれば、その構成は特に限定されない。
【０１００】
逆流抑制弁７２は、上流側から下流側への汚水の流れを許容し、下流側から上流側への汚水の流れを制限するためのものである。逆流抑制弁７２は、逆流抑止マス７０のマス本体に対して揺動可能であって、着脱可能に取り付けられている。逆流抑制弁７２は、汚水が流れないときには、流入口を塞いでいる。逆流抑制弁７２は、上流側から汚水が流れてきたときには、その汚水によって押し上げられる。これにより、逆流抑止マス７０は、上流側から汚水が流れた場合の流路が確保される。よって、上流側から流れてきた汚水は、逆流抑制弁７２によって流れが阻止されることなく、下流側に流れ込む。一方、逆流抑止マス７０の内部に汚水が逆流してきた場合は、その汚水は、流入口を覆う逆流抑制弁７２によって流れが制限され、上流側への流入が規制される。
【０１０１】
なお、逆流抑制弁７２は、予め逆流抑止マス７０に設けられているものであってもよいし、逆流抑止マス７０に対して着脱可能なものであってもよい。例えば、逆流抑制弁７２は、連結部材を介して逆流抑止マス７０に取り付けられるものであってもよい。
【０１０２】
貯水タンク８０（貯水槽、給水源）は、雨水または生活用水などの水が貯められるタンクである。貯水タンク８０は、例えば、飲料水などの異物が混在されていない比較的きれいな水が貯留されるものであってもよい。図１では、貯水タンク８０は地中に埋設されているものを一例として示しているが、貯水タンク８０は、地上に設置されているものであってもよい。
【０１０３】
給水ポンプ８２（ポンプ）は、貯水タンク８０に貯留された水を貯水装置１０に搬送するためのものである。給水ポンプ８２は、貯水タンク８０に貯留された水を搬送可能なものであれば、容積型、及び非容積型等、いかなるものであってもよい。なお、給水ポンプ８２は、災害時などに既設排水設備３ａへの水の供給が停止した場合など、災害時対応として排水システムＳを機能させようとする際に準備される。
【０１０４】
汚水貯留槽８４は、排水設備３から排出した汚水を貯留する槽である。図１に示すように、汚水貯留槽８４は建物１の外に配置されており、地中に埋設されている。図１に示すように、汚水貯留槽８４は、第二管路４４を介して切替式排水マス５０と接続されている。汚水貯留槽８４には、第二流出口５６から流れる汚水が貯留される。汚水貯留槽８４は、内部に密封された空間を有している。汚水貯留槽８４が密封式であることにより、汚水貯留槽８４内の汚水から発生する悪臭が外部に漏れないようになっている。汚水貯留槽８４は必ずしも地中に埋設されていなくてもよい。汚水貯留槽８４は、地上に設置されていてもよい。
【０１０５】
＜通常時及び稼働時の汚水の排出について＞
次に、図９及び図１０等を参照しつつ、排水システムＳの通常時及び稼働時の動作について説明する。
【０１０６】
排水システムＳは、通常時（給排水機能時）は既設排水設備３ａ等の排水設備３から流出する汚水を下水本管４に排出する。また、排水システムＳは、断水により排水設備３への水の供給が停止した時や仮設排水設備３ｂを設置する必要が生じた場合（給水不能時）などに、管路４０へ水を供給して管路４０内の汚水を排水する。さらに、排水システムＳは、地震または津波などの災害が発生して下水本管４などが破損したときなど（排水不能時）には、切替式排水マス５０の排水流路Ｃを切り替えることにより、排水設備３から流出する汚水を汚水貯留槽８４に排出するように用いられる。
【０１０７】
＜通常時について＞
図９に示すとおり、通常時では、排水システムＳは、第一流路ｃ１により排水設備３から排出された汚水を下水本管４へと排水する。より具体的には、通常時では、排水システムＳは、切替式排水マス５０を経由して下水本管４に至る第一流路ｃ１により、既設排水設備３ａからの汚水を排出する。
【０１０８】
また、通常時では、貯水タンク８０は蓋部材８０ａにより閉塞されている。さらに、貯水装置１０は、操作部２０が分離状態とされる。より具体的には、貯水装置１０の操作部２０は、第二管体２４が第一管体２２から取り外された状態で貯水装置１０の内部など所定の場所に保管される（図５（ａ）参照）。そのため、排水システムＳは、貯水装置１０の操作部２０を操作する必要がない通常時などには、操作部２０を貯水装置１０の内部に収まる態様として、地上を人が往来する際などに操作部２０が邪魔にならないようにすることができる。また、第二管体２４を貯水装置１０の内部に収容しておくと、第二管体２４の紛失を抑制することができる。
【０１０９】
＜稼働時について＞
排水システムＳは、給水不能時には、貯水タンク８０から管路４０に貯留水を流入させて、管路４０の汚水を下流側へ排出させることができる。
【０１１０】
図１０に示すとおり、給水不能時には、貯水タンク８０から貯水装置１０に貯留水を搬送する給水ポンプ８２が準備される。また、災害の発生等、必要に応じて仮設排水設備３ｂが設けられる。さらに、図１１（ａ）に示すとおり、排水システムＳの給水不能時であって、貯水タンク８０等の給水源から水を供給する必要がある場合（稼働時）には、所定の場所や貯水装置１０の内部に収容された第二管体２４を準備し、操作部２０を第一管体２２及び第二管体２４を連結させた状態（連結状態）とする。
【０１１１】
既設排水設備３ａや仮設排水設備３ｂから汚水が排出され、管路４０内に汚水が溜まり排出が必要となった場合には、貯水タンク８０から貯水装置１０を介して貯留水を管路４０に流入させ、汚水を下流側へ押し流す。
【０１１２】
より具体的には、稼働時には、先ず貯水装置１０の流出口１４が閉塞された状態で貯水装置１０の内部に貯留水を流入させる（図１１（ａ）参照）。この際、貯水装置１０は、蓋体３２により開口３１を閉塞したまま、操作部２０の給水口３６に給水ポンプ８２を連結させて貯留水を供給することができる。また、貯水装置１０は、内部に所定量の水を一時的に貯留することができる。言い方を換えれば、貯水装置１０は、管路４０内の汚水を一気に押し流すための水を溜めることができる。
【０１１３】
図１１（ｂ）に示すとおり、貯水装置１０内の貯留水がある一定の量に到達した後に、操作部２０を上方に引き上げて流出口１４を閉塞していた閉塞部１８を上方に変位させる。これにより、流出口１４が開放され、貯水装置１０内の貯留水は一気に管路４０に流入して、管路４０内の汚水を下流側へと搬送する。このように、排水システムＳは、断水などの場合に、管路４０に貯留水を送り込んで、管路４０内の汚水を上流側から下流側へと押し流すことができる。
【０１１４】
また、上述のとおり、貯水装置１０は、操作部２０の上方端部が貯水装置１０の外側に配置された状態で、操作部２０を上方に引き上げる操作を行うことができる。さらに、上述のとおり、貯水装置１０には、ストッパー部２９が設けられている。そのため、貯水装置１０は、操作部２０を過度に上方に変位させて閉塞部１８がマス本体１２から脱落したり、第二管体２４が蓋体３２から貯水装置１０の外側に外れたりすることを抑制することができる。
【０１１５】
さらに、上述の極めて簡単な動作により、貯水装置１０の流出口１４の開閉動作を行い得る。そのため、専門知識を有しないものであっても、簡単に貯水装置１０の開閉動作を行うことができる。
【０１１６】
また、排水システムＳは、災害時など、下水本管４等の破損により、下水本管４へ汚水を排出することが困難な場合（排水不能時）には、汚水の排水先を下水本管４から汚水貯留槽８４に切り替える排水流路Ｃの切り替えを行うことが望ましい。
【０１１７】
排水流路Ｃの切り替え動作は、例えば以下のようにして行うことができる。まず、作業者は、点検筒５８に被せられた蓋体５９を点検筒５８から取り外す。次に、切替部材６０の持ち手６３を把手して切替部材６０を引き上げて、切替部材６０を周方向に約９０度回転させる。これにより、切替部材６０がマス本体５２に対して上方に保持され、第二流出口５６が開放された状態で維持される（図８（ｂ）参照）。なお、持ち手６３に作業者の手が届かないような場合は、例えば先端にフックを有する棒状体などを使用して、上記フックを持ち手６３に引っ掛けて切替部材６０を引き上げればよい。
【０１１８】
排水流路Ｃが第二流路ｃ２に切り替えられると、排水設備３から流出した汚水は、切替式排水マス５０の流入口５４からマス本体５２に流入する。このとき、第二流出口５６が切替部材６０から開放されており、また、第二流出口５６はマス本体５２の下部に形成されているので、マス本体５２に流入した汚水は、第二流出口５６に落下してマス本体５２の外へ流出する。第二流出口５６から流出した汚水は、汚水貯留槽８４へ排出される。これにより、排水システムＳは、下水本管４への排水が困難な場合（排水不能時）において、排水設備３から排出された汚水を汚水貯留槽８４へと排水させる。
【０１１９】
このように、排水システムＳは、給水不能時には管路４０に貯留水を流入させて汚水を下流側へと排出させつつ、さらに排水不能時には排水流路Ｃを切り替えて汚水を汚水貯留槽８４に排出させることができる。言い換えれば、排水システムＳは、下水道が給排水不能となった場合に、給排水の機能を代替することができる。
【０１２０】
以上、本発明の実施形態に係る貯水装置及び排水システムＳについて説明したが、本発明は上述の実施形態に限定されない。
【０１２１】
上述の実施形態に係る貯水装置１０の操作部２０では、管継手２６を介して第一管体２２及び第二管体２４を連結する構成とした例を示したが、本発明の貯水装置は、これに限定されない。例えば、本発明の貯水装置は、第一管体及び第二管体を螺合構造により直接連結されるものであってもよい。
【０１２２】
また、上述の実施形態に係る排水システムＳでは、貯水装置１０を既設排水設備３ａよりも上流側に設けた例を示したが、本発明の排水システムは上述の実施形態に限定されない。例えば、本発明の排水システムは、給水が機能しいる場合において既設排水設備３ａから排出される汚水を通常の水道管より供給される水により排出しつつ、仮設排水設備３ｂから排出される汚水を水道管とは別の給水源（例えば貯水タンク）より水を供給して排水するために用いられるものであってもよい。その場合には、既設排水設備３ａよりも下流側に本発明の貯水装置が設けられるものであってもよい。また、本発明の排水システムは、貯水装置が複数設けられたものであってもよい。
【０１２３】
また、上述の実施形態に係る排水システムＳの貯水装置１０及び切替式排水マス５０は、樹脂素材を加工成形したものによるものとした例を示したが、本発明はこれに限定されない。上述のとおり、本発明の排水システムは、貯水装置１０のマス本体や切替式排水マスのマス本体をコンクリートにより構成してもよい。
【０１２４】
さらに、上述の実施形態に係る排水システムＳでは、汚水貯留槽８４を設けた例を示したが、本発明の排水システムはこれに限定されない。例えば、本発明の排水システムは、第二流路により汚水を排出する場合に、下水本管４とは別系統の下水本管へと排出させてもよいし、これら以外の排出系統に汚水を排出するものであってもよい。
【産業上の利用可能性】
【０１２５】
本発明の排水システムは、汚水を排水する排水システムとして好適に採用することができる。
【符号の説明】
【０１２６】
３      排水設備
３ｂ    仮設排水設備
１０    貯水装置
１４    流出口
１８    閉塞部
２０    操作部
２２    第一管体
２４    第二管体
２６    管継手
２８    拡径部
２９    ストッパー部
３２    蓋体
３４    挿通部
３６    給水口
３８    吐出口
４０    管路
４２    第一管路（管路）
４４    第二管路（管路）
４８    立管
５０    切替式排水マス
８０    貯水タンク（給水源、貯水槽）
８４    汚水貯留槽
Ｓ      排水システム
Ｘ      軸線方向
Ｃ      排水流路
ｃ１    第一流路（排水流路）
ｃ２    第二流路（排水流路）
【図１】
2020176514.tif 000003
【図２】
2020176514.tif 000004
【図３】
2020176514.tif 000005
【図４】
2020176514.tif 000006
【図５】
2020176514.tif 000007
【図６】
2020176514.tif 000008
【図７】
2020176514.tif 000009
【図８】
2020176514.tif 000010
【図９】
2020176514.tif 000011
【図１０】
2020176514.tif 000012
【図１１】
2020176514.tif 000013